(57)【特許請求の範囲】
【請求項１】
カセット本体と蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の少なくとも１辺の端部が外方向に開口した多数のＵ字状リブ片が連設されたクシ型リブから構成され、該クシ型リブとカセット本体の側壁とにより多数の透孔が画成されてなることを特徴とする医療検査用カセット。
【請求項２】
クシ型リブの長さを異ならしめた請求項１記載の医療検査用カセット。
【請求項３】
蓋の裏面に内嵌め用の突条部を設けた請求項１又は２記載の医療検査用カセット。
【請求項４】
突条部を間欠的に設けた請求項３記載の医療検査用カセット。
【請求項５】
蓋の表面に隆起部を突設した請求項１〜４のいずれか１項に記載の医療検査用カセット。
【請求項６】
隆起部の表面に識別表示を設けた請求項５記載の医療検査用カセット。
【請求項７】
カセット本体が仕切壁により複数個の小室に区画されてなる請求項１〜６のいずれか１項に記載の医療検査用カセット。
【請求項８】
蓋及び／又はカセット本体が耐薬品性の透明材料からなる請求項１〜７のいずれか１項に記載の医療検査用カセット。
【請求項９】
透明材料がポリプロピレン樹脂である請求項８記載の医療検査用カセット。
【請求項１０】
透明材料がポリエステル樹脂である請求項８記載の医療検査用カセット。
【発明の詳細な説明】
【技術分野】
【０００１】
本発明は、医療検査用顕微鏡標本の作製に使用する医療検査用カセットに関し、更に詳しくは、薬液の透過効率を高め、標本作成の生産性を飛躍的に高めることができ、また蓋を取り除くことなくカセット内に収容した検体を視認でき、作業性や検査精度を向上させ得る医療検査用カセットに関する。
【背景技術】
【０００２】
従来のこの種のカセットは、例えば、図１６〜１８に示すように、耐薬品性樹脂からなるカセット本体１と蓋２とを具備してなる（例えば、特許文献１参照）。カセット本体１は、上面を開放した方形の容器で、底部に多数の透孔３を有し、短辺側の一側壁の外側に底部に向かって末広がり状に傾斜した板状の記録部４を設け、その内側に係止溝５を有し、他の側壁の外側に係止部６を有する。
【０００３】
蓋２は、着脱可能な板状体で、板面に多数の透孔７を有し、短辺側の一方側には前記係止溝５の記録部４の裏面に沿って嵌入係合する傾斜状係止片９を有し、短辺側の他方側にはカセット本体１よりも僅かに大き目の突縁部１０を有し、係合部６と係合する係止片１１を有している。
【０００４】
上記カセットを使用して顕微鏡標本を作製するには、まず、採取した検体１７をカセット本体１内に収容して蓋２を取り付け、記録部４に被検者の氏名等を記録しておく。蓋２の傾斜状係止片９は、カセット本体１の係止溝５に係合し、また係止片１１はカセット本体１の係止部６に係合して蓋２を固定する。
【０００５】
続いて、透孔７、３を通じて、検体１７を水洗し、次いでアルコールにより検体１７の水分を除去し、キシレンにより後述する液状パラフィンとの親和性を付与する。
【０００６】
次に、図１９に示すように、ステンレス製トレイ１８内に液状パラフィン１９を入れ、検体１７をカセット本体１から取り出して液状パラフィン１９中に置いて検体１７に液状パラフィンを浸透させる。続いて、トレイ１８の段部にカセット本体１を載せ、カセット本体１の底部が液状パラフィン１９に浸るまで、液状パラフィン１９を検体１７上に注ぎ足す。
【０００７】
液状パラフィン１９が固化した後トレイ１８を取り去ることにより、検体１７を包埋したパラフィン１９がカセット本体１の底部に付着してなるカセットブロック２０を得る。
【０００８】
次に、図示しないが、ミクロトーム上に装着したアダプターの基台上にカセットブロック２０を裏返して載せ、固定する。続いて、パラフィン１９の検体１７を包埋した部分をスライスし、スライスした薄片に染色、その他の所定の処理を施すことにより顕微鏡標本を得るのである。
上記カセットは、カセット本体内の検体収容部は１個であるが、仕切壁により複数個の小室に区画されたものもある。
【特許文献１】特開２００１−３２４４２８号公報
【発明の開示】
【発明が解決しようとする課題】
【０００９】
しかし乍ら、従来のカセットは、蓋２が外周縁２ａにより囲まれているため、この外周縁２ａが堰となって薬液の水平方向からのカセット本体内への流入を妨げ、その結果、外周縁２ａを乗り越えた薬液のみを流入されることになる。かくして、薬液の透過性は大きく低下せざるを得ない。
【００１０】
また、カセットは、通常、複数個を上下方向に積み重ねたり水平方向に並接して上記した薬液処理がなされる。しかし、上記したような従来のカセットの場合は、カセットとカセットが密着し、カセットとカセットとの間から薬液がカセット本体内に流入することがない。即ち、上部又は隣のカセットの底面と下部又は隣のカセットの蓋の表面とが密着するため、上部又は隣のカセットの蓋２の透孔７及びカセット本体１の透孔３を透過した薬液がそのまま下部又は隣のカセットの蓋２の透孔７からカセット本体１内に流入して検体１７を処理した後、カセット本体１の透孔３から更に下部又は隣のカセットの蓋２の透孔７よりカセット本体１内に流入するという操作を繰り返すことになり、薬液の透過は略一方方向のみとなり、薬液処理は必ずしも十分に効率的であるとは云い難い。
【００１１】
また、複数個の検体を収容した場合には、各検体を明確に識別しておく必要があり、この識別が曖昧となると、検査結果の信頼性が確保されなくなり、検査の目的を達成することが不可能となる。
【００１２】
更に、たとえ、検体収容部が１個のカセットに、１個の検体を収容する場合であっても、ミクロトームでスライスして標本を作成する場合に、切り出しの位置を表示しておくことは重要で、この表示がない場合は、作業者が忘れてしまったり、作業者が交代したような場合には、容易に切り出しの位置を知ることができず、標本作成の作業性や検査結果の信頼性が著しく低下することになる。
【００１３】
更にまた、仕切壁により複数個の小室に区画されているカセットの場合は、当然各小室に検体が収容され、また区画されていない、収容部が１個のカセットの場合でも、複数個の検体を収容する場合がある。また、内視鏡を用いる生検では、直径が僅か１〜２mm程度の微小な組織片であり、粘膜面を上にして濾紙上に固定し、適切な方向に包埋させスライスすることが正診率の向上につながる。その他、検体の色や形も重要な要素である。
【００１４】
しかし乍ら、従来のカセットは、蓋がステンレススチール製であったり、また蓋及びカセット本体がともに不透明又は半透明の合成樹脂製であるため、作業中において、カセットの外側からはカセット内の検体を確認することができず、例えば、検体の個数、形、色をはじめ、作業中に隣り合う小室間で検体が入れ替わったり、また濾紙とともに検体を収容する場合は、濾紙が正しい位置からずれていたり、濾紙上の検体が適切な方向になかったりするような場合にも確認することが不可能又は困難である。かくして、従来のカセットにおいて、検体の状況を確認するためには、その都度蓋を取って確認するしか方法がなく、作業性を著しく低下させる原因となっている。
【００１５】
本発明は、上記の如き欠点を解消し、蓋の外周縁の少なくとも一部を取り除き、薬液の流入を促進させ、また、一方方向からのみならず、積み重ねた又は並接したカセットとカセットとの間からも薬液を流入させることにより、薬液処理が均一で且つ処理効率が改善され、また作業中において、蓋を取り除くことなく、カセット内の検体を透明の蓋及び／又はカセット本体の外側から確認することにより、作業性及び検査結果の信頼性が顕著に高められる医療検査用カセットを提供するものである。
【課題を解決するための手段】
【００１６】
上記目的を達成するための本発明の請求項１は、カセット本体と蓋とを具備してなり、前記カセット本体が上面を開放し、検体を収容し得る方形の容器で、多数の透孔を有し、前記蓋がカセット本体に着脱自在に取り付けられ、多数の透孔を有してなる医療検査用カセットにおいて、前記蓋の少なくとも１辺の端部が外方向に開口した多数のＵ字状リブ片が連設されたクシ型リブから構成され、該クシ型リブとカセット本体の側壁とにより多数の透孔が画成されてなることを特徴とする医療検査用カセットを内容とするものである。
【００１７】
好ましい態様としての請求項２は、クシ型リブの長さを異ならしめた請求項１記載の医療検査用カセットである。
【００１８】
好ましい態様としての請求項３は、蓋の裏面に内嵌め用の突条部を設けた請求項１又は２記載の医療検査用カセットである。
【００１９】
好ましい態様としての請求項４は、突条部を間欠的に設けた請求項３記載の医療検査用カセットである。
【００２０】
好ましい態様としての請求項５は、蓋の表面に隆起部を突設した請求項１〜４のいずれか１項に記載の医療検査用カセットである。
【００２１】
好ましい態様としての請求項６は、隆起部の表面に識別表示を設けた請求項５記載の医療検査用カセットである。
【００２２】
好ましい態様としての請求項７は、カセット本体が仕切壁により複数個の小室に区画されてなる請求項１〜６のいずれか１項に記載の医療検査用カセットである。
【００２３】
好ましい態様としての請求項８は、蓋及び／又はカセット本体が耐薬品性の透明材料からなる請求項１〜７のいずれか１項に記載の医療検査用カセットである。
【００２４】
好ましい態様としての請求項９は、透明材料がポリプロピレン樹脂である請求項８記載の医療検査用カセットである。
【００２５】
好ましい態様としての請求項１０は、透明材料がポリエステル樹脂である請求項８記載の医療検査用カセットである。
【発明の効果】
【００２６】
本発明の請求項１の医療検査用カセットは、蓋の透孔７のみならずクシ型リブのＵ字状リブ片からも薬液がカセット本体内に流入するため、薬液の透過性が顕著に改善され、薬液の処理が均一になるとともに処理時間が短縮され、生産性が大巾に向上する。
【００２７】
また、請求項２の発明は、薬液の入り口が拡大される結果、薬液の流入、透過性が一層改善される。
【００２８】
また、請求項３の発明は、内嵌め用の突条部により蓋のカセット本体への被着が容易且つ確実になるとともに、特に微小な検体を収容する場合においても、蓋とカセット本体との隙間から外部へ洩出することが防止される。
【００２９】
また、請求項４の発明は突条部を間欠的に設けたことにより、蓋の可撓性が殆ど損なわれず、蓋の撓み変形を利用して片手で蓋とカセット本体との係合を解き蓋を取り去ることが容易となり、作業性が向上する。
【００３０】
また、請求項５の発明は、カセットを上下方向に積み重ねたり又は水平方向に並接した場合に、隆起部が恰も空間部を形成するためのスペーサーとして機能し、カセット間の薬液流入が可能となる。
【００３１】
また、請求項６の発明は、隆起部の表面に識別表示を設けることにより、切り出し位置や収容した検体を識別でき、検査精度を高めるとともに、作業性を向上させる。
【００３２】
また、請求項７の発明は、カセット本体を複数個の小室に区分することにより、複数個の検体を１個のカセットを用いて同時に処理することができ、極めて効率的である。
【００３３】
また、請求項８の発明は、蓋及び／又はカセット本体を透明材料製とすることにより、蓋を取り去ることなく、カセット内に収容された検体の状況を容易に視認することができるので、作業性や検査精度が飛躍的に高められる。
【００３４】
更にまた、請求項９、１０の発明は、耐薬品性及び透明性に優れたカセットを安価に提供することができる。
【発明を実施するための最良の形態】
【００３５】
本発明は、蓋の少なくとも１辺の端部が外方向に開放された多数のＵ字状リブ片が連設されたクシ型リブから構成され、該クシ型リブとカセット本体の側壁とにより多数の透孔が画成されてなることを特徴とする。かかる構成とすることにより、薬液はクシ型リブに沿って導かれ、該クシ型リブとカセット本体の側壁とにより画成される多数の透孔よりカセット本体内に導入されるので、薬液処理効率が向上する。
【００３６】
この場合、クシ型リブのＵ字状部の左右の長さを異ならしめることにより、短いリブを挟んで隣り合う長いリブ片と長いリブ片との間に形成される凹状部に薬液が導入され、云わば薬液流入の開口部が拡大し、その結果、薬液が流入し易くなるので薬液処理効率が一層高められる。
【００３７】
また、蓋の裏面にカセット本体への内嵌め用の突条部を設けることにより蓋をカセット本体に被着し易くなるとともに、特に収容する検体が微小な場合においても、蓋とカセット本体との隙間から検体が外部に流出するといったトラブルが防止される。
突条部は連続的に設けてもよいが、間欠的に設けることにより、蓋の可撓性が殆ど損なわれず、蓋の上方への撓み変形を利用して開蓋する操作が容易となる。
【００３８】
また、蓋の表面に隆起部を設けることにより、カセットを上下方向に積み重ねたり又は水平方向に並接した場合に、隆起部がスペーサーとして機能しカセットとカセットとの間に空間部を形成し、この空間部からも薬液が流入可能となるので薬液の処理が均一となり、且つ効率的である。
【００３９】
この場合において、隆起部の表面に、収容した検体を識別するための識別表示を設けることにより、標本作成の作業性及び検査精度を高めることができる。また、ミクロトームでスライスして標本を作成する際の切り出しの識別表示を設けることにより、ミクロトームでスライスする際の切り出し位置を知ることができ、作業性及び検査精度が高められる。
【００４０】
本発明における識別表示は文字通り識別又は区別できるものであれば特に制限されず、例えば、１、２、３等の数字、Ａ、Ｂ、Ｃ（ａ、ｂ、ｃ）等のアルファベット、イ、ロ、ハ（い、ろ、は）等の五十音、○、△、×等の記号等、数字、文字、記号、模様、着色等のいずれでもよい。
【００４１】
隆起部の高さは特に制限されないが、少なくとも０．３mmの高さ、好ましくは、少なくとも０．５mmの高さで設けるのが好ましい。隆起部が０．３mmよりも低くなると、作業する際に視認し難く、間違いが生じ易くなり、また、隆起部により形成される空間部が小さいため薬液の透過性の改善効果が不十分となる。隆起部の表面に設ける識別表示は、突設、刻設、又は平面的に設けてもよい。尚、隆起部の上限は、カセットの大きさにより一概には規定できないが、余り高くなると積み重ねたり並接した場合に場所をとり、処理効率が低下するとともに、取り扱い性も悪くなる。従って、１０mm程度が好ましい。
【００４２】
また、カセット本体を仕切壁で区画して複数個の小室にすることは、同時に複数個の検体が処理されるので極めて効率的である。しかし、前記したように、既存のミクロトーム等の装置を使用する場合には、カセットの大きさに自ら制約があり、従って、複数個の小室を設ける場合は、２〜９個程度が好ましい。９個を越えると、小室のサイズが小さくなり過ぎ、収容、処理する検体のサイズも制限され不都合な場合がある。
【００４３】
小室の形成は仕切壁によりなされるが、仕切壁をカセット本内にのみ突設し、蓋を被着した際に該仕切壁の先端部と蓋の裏面との対接により小室を区画形成するようにしてもよく、また蓋の裏面に背の低い仕切壁を突設するとともに、カセット本体内に背の高い仕切壁を突設し、蓋を被着した際に、両仕切壁の先端同志の対接により小室を区画形成するようにしてもよい。小室は実質的に隙間のない独立した空間であってもよく、また検体が隣接する小室に移動しない程度に小さい隙間があってもよい。
【００４４】
蓋及び／又はカセット本体は耐薬品性を有する材料から作られ、例えばポリアセタール、ポリアミド、ポリカーボネート、ポリエステル、ポリプロピレン等の合成樹脂、ステンレス等の金属等が好適であるが、特にポリカーボネート、ポリエステル、ポリプロピレン等の透明樹脂製とすることにより、カセット内部に収容した検体の状況（個数、形状、色、カセット本体内での存在位置、濾紙とともに検体を収容した場合は、濾紙の位置、濾紙上の検体の方向等）を明確に視認することができるので、顕微鏡標本作成の効率化、確実化を図るとともに、精度の高い検査結果を得ることができる。
【００４５】
上記透明樹脂の中、とりわけ耐薬品性及び低コストという点からポリプロピレン樹脂、ポリエステル（特にＰＥＴ）樹脂が好適で、特にポリプロピレン樹脂が好適である。蓋のみが透明材料からなる場合は蓋の外部から、またカセット本体のみが透明材料からなる場合はカセット本体（側壁又は底部）の外側から、更に、蓋とカセット本体とが透明材料からなる場合は、蓋及びカセット本体の両方の外側から、内部の検体の状況を視認することができる。
【実施例】
【００４６】
以下、本発明を実施例を示す図面に基づいて詳細に説明するが、本発明はかかる実施例のみに限定されないことは云うまでもない。
【００４７】
実施例１
本実施例の医療検査用カセットは、図１〜図３に示すように、ポリアセタール樹脂からなる、カセット本体１と蓋２とを具備してなり、カセット本体１が、上面を開放した、検体を収容し得る方形の容器で、多数の透孔３を有し、短辺側の一側壁Ａの外側に底部に向かって末広がり状に傾斜した板状の記録部４を備えるとともに、その内側に係止溝５を有し、他の側壁Ｂの外側に係止部６を有してなる。
【００４８】
一方、蓋２が多数の透孔７を有し、短辺側の一方側には前記係止溝５に記録部４の裏面に沿って嵌入係合する傾斜状係止片９を、他方側にはカセット本体１よりも僅かに大き目の突縁部１０を有し、前記係止部６と係合する係止片１１を有し、長辺側の２辺の各端部が外方向に開放された多数のＵ字状リブ片８ａ、８ｂから構成され、該Ｕ字状リブ片８ａ、８ｂとカセット本体１の側壁Ｃとにより多数の透孔７ａが画成されてなる。
【００４９】
上記カセットを用いて上記した方法で顕微鏡標本を作成するが、薬液は蓋２の透孔７からカセット本体１内に流入することは勿論、長辺側の２辺からもＵ字状リブ片８ａ、８ｂに沿って、即ち両リブ片８ａ−８ｂ間の開口部７ｂより水平方向に導かれ、該Ｕ字状リブ片８ａ、８ｂと側壁Ｃとにより画成される透孔７ａからもカセット本体１内に導入される（図３参照）。
【００５０】
図４は、上記カセットを上下方向に積み重ねた状態を示すが、Ｕ字状リブ片８ａ、８ｂは水平方向に且つ外方向に向かって開口しているため、薬液は両リブ片８ａ−８ｂ間の開口部７ｂより導入され、７ａ（図３）からカセット本体１内に流入することができる。
【００５１】
尚、本実施例においては、Ｕ字状リブ片８ａと８ｂとは長さが一様でなく、８ａが長く、８ｂが短く構成されているが、このように構成することにより、先ず隣り合う長い方のリブ片８ａ、８ａにより（短い方のリブ片８ｂを挟んだ８ａ−８ｂ−８ａの状態で）形成される凹状部に薬液が導かれ、次に、導かれた薬液は８ａ−８ｂ間及び８ｂ−８ａ間に分配され、７ａからカセット本体１内に流入するため、極めて効率的に薬液が導入される。
【００５２】
図５は、蓋２の他の例を示す斜視図で、蓋２の裏面の長辺側の外周面に沿って、カセット本体１内に内嵌め式に嵌合する突条部１２が設けられている。突条部１２は長辺方向のみでもよく、また短辺方向のみでもよく、更には長辺方向及び短辺方向の両方（この場合は４辺に周設）に設けてもよい。長辺方向の突条部１２は、後記するように、蓋２の可撓性を利用して蓋２の撓み変形によりカセット本体１から引き離し易くするため、間欠的に設けることが望ましい。
【００５３】
図６は、蓋２の更に他の例を示す斜視図で、図５で示した蓋２の表面に隆起部１３が設けられている。
かかる蓋２を用いたカセットは、図７に示すように、上下方向に積み重ねた場合に、隆起部１３が恰も上下のカセット間に薬液を水平方向から導入するための空間部を作るためのスペーサーとして機能し、矢示した如く、水平方向からの薬液導入を促進させる効果を発揮し、薬液の透過性は一段と向上する。
【００５４】
図８は、蓋２の別の例を示す斜視図で、Ｕ字状リブ片８ａ、８ａが同一長さに形成されている。この場合は、隣接するリブ８ａ−８ａ間に薬液が導入され、図３の場合と同様、７ｂからカセット本体内に流入する。
【００５５】
実施例２
本実施例の医療検査用カセットは、図９〜図１１に示すように、実施例１に示したカセットにおいて、図６で示した蓋２を使用するとともに、板状の記録部４を除く側壁下方に透孔１４を設けたカセット本体１を使用した例である。即ち、蓋２の表面の周縁に、隆起部１３が設けられ、図示しないが、そのうちの一つの隆起部１３ａに、切り出し位置を示すための識別表示が設けられている。
尚、側壁の下方に透孔を設けた理由は、上方の板状部を必要に応じ、記録部として使用可能とするためである。従って、記録部のスペースが不要である場合は、側壁全面に透孔を設けることもできる。
【００５６】
また、内嵌め用の突条部１２は、カセット本体１の側壁の上部内側に設けた段付部に載置されているが、このような段付部を設けずに、側壁の内側に嵌合する構造としてもよい。この場合は、Ｕ字状リブ片８ａ、８ｂと内嵌め用突条部１２とにより透孔７ａが画成される。
また、突条部１２を３つに分割して間欠的に設けられているので、蓋２の長辺方向の可撓性が損なわれず、例えば人差指で蓋２の略中央部を押さえると左右側が上方に反り返るように撓み変形し、その結果、蓋２の係止片１１がカセット本体１の係止部６から離脱し、親指を蓋の突縁部１０又は係止片１１近辺に掛けることにより、片手で容易に蓋を取り去ることができる。
【００５７】
上記カセットを用いて顕微鏡標本を作成する場合は、図７に示したように、積み重ねたカセット間に隆起部１３の高さだけの空間部が形成されるため、従来カセットのように縦方向からのみではなく、該空間部を介して横方向からの薬液の流入・透過が可能となり、更に、カセット本体１の板状の記録部４を除く３方の側壁下方にも透孔１４が設けられているので、薬液の透過性は一層良好で、検体の薬液処理効果は均一且つ効率的となる。
【００５８】
実施例３
本実施例の医療検査用カセットは、図１２〜図１３に示すように、実施例２に示したカセットにおいて、カセット本体１が仕切壁１６により６個の小室に区画され、一方、蓋２は仕切壁１５により６個に区画され、仕切壁１６と１５が対接して独立した６個の小室が形成されている。
この場合、６個の隆起部１３の表面に識別表示を施すことにより、６個の小室を該識別表示により区別することができ、また、そのうちの１個に隆起部に切り出し位置を示す識別表示を設けることも可能である。
【００５９】
実施例４
本実施例の医療検査用カセットは、図１４〜図１５に示すように、実施例２に示したカセットにおいて、カセット本体１が仕切壁１６により９個の小室に区画され、一方、蓋２は仕切壁１５により９個に区画され、仕切壁１６と１５が対接して独立した９個の小室が形成されている。
この場合、９個の隆起部１３の表面に識別表示を施すことにより、９個の小室を該識別表示により区別することができ、また、そのうちの１個に隆起部に切り出し位置を示す識別表示を設けることも可能である。
【００６０】
実施例５〜８
実施例１〜４のカセットにおいて、カセット本体１及び蓋２の材質を不透明樹脂のポリアセタール樹脂から透明樹脂のポリプロピレン樹脂に変更した他は、同様にしてカセットを作製した。蓋２及びカセット本体１は、いずれも透明で、蓋２を取り去ることなく、内部の検体が視認でき、作業性は頗る良好であった。
【００６１】
以上、本発明を実施例に基づいて説明したが、本発明は上記実施例で示した如き形状や構造のカセットに限られず、蓋とカセット本体とからなる全てのカセットに適用可能であることは言うまでもない。特に、蓋２とカセット本体１との係合・離脱の構造は図示したものは一例にすぎず、これに限定されないことは勿論で、例えば図１７に示したような構造であってもよい。また、上記実施例では、蓋２の長辺側の２辺を多数のＵ字状リブ片からなるクシ型リブに形成したが、いずれかの１辺でもよく、また、残りの短辺側の１辺又は２辺も係止片１１や傾斜状係止片９の部分を除いてＵ字状リブ片からなるクシ型リブに形成し、更に薬液の透過性を高めることもできる。
【産業上の利用可能性】
【００６２】
叙上のとおり、本発明は医療検査用カセットは、薬液の透過効率を高め、標本作成の生産性を飛躍的に高めることができ、また蓋を取り除くことなくカセット内に収容した検体を視認でき、作業性や検査精度を向上させ得る医療検査用カセットを提供することができる。
【図面の簡単な説明】
【００６３】
【図１】本発明のカセットの実施例を示す斜視図である。
【図２】図１のカセットのｂ−ｂ断面図である。
【図３】図１のカセットのｃ−ｃ断面図である。
【図４】図１〜３のカセットを上下方向に積み重ねた状態を示す概略図である。
【図５】本発明における蓋の他の実施例を示す上面図である。
【図６】本発明における蓋の他の実施例を示す上面図である。
【図７】図６の蓋を使用したカセットを上下方向に積み重ねた状態を示す概略図である。
【図８】本発明における蓋の他の実施例を示す上面図である。
【図９】本発明のカセットの他の実施例を示す斜視図である。
【図１０】図９のカセットのｂ−ｂ断面図である。
【図１１】図９のカセットのｃ−ｃ断面図である。
【図１２】本発明のカセットの更に他の実施例を示す長さ方向の断面図である。
【図１３】図１２のカセットの巾方向の断面図である。
【図１４】本発明のカセットの別の実施例を示す長さ方向の断面図である。
【図１５】図１４のカセットの巾方向の断面図である。
【図１６】従来のカセットの一例を示す斜視図である。
【図１７】図１６のカセットの長さ方向の断面図である。
【図１８】図１６のカセットの巾方向の断面図である。
【図１９】従来のカセットを用いて検体をパラフィンに包埋させる状態を示す概略断面図である。
【符号の説明】
【００６４】
１  カセット本体
２  蓋
２ａ  外周縁
３  透孔
４  記録部
５  係止溝
６  係止部
７、７ａ  透孔
７ｂ  開口部
８ａ、８ｂ  Ｕ字状リブ片
９  傾斜状係止片
１０  突縁部
１１  係止片
１２  突条部
１３  隆起部
１４  透孔
１５、１６  仕切壁
１７  検体
１８  トレイ
１９  パラフィン
２０  カセットブロック
【図１】
0004795096.tif 000002
【図２】
0004795096.tif 000003
【図３】
0004795096.tif 000004
【図４】
0004795096.tif 000005
【図５】
0004795096.tif 000006
【図６】
0004795096.tif 000007
【図７】
0004795096.tif 000008
【図８】
0004795096.tif 000009
【図９】
0004795096.tif 000010
【図１０】
0004795096.tif 000011
【図１１】
0004795096.tif 000012
【図１２】
0004795096.tif 000013
【図１３】
0004795096.tif 000014
【図１４】
0004795096.tif 000015
【図１５】
0004795096.tif 000016
【図１６】
0004795096.tif 000017
【図１７】
0004795096.tif 000018
【図１８】
0004795096.tif 000019
【図１９】
0004795096.tif 000020